(57)【要約】  磁力を利用してローターを円方向に動かしローターシャフトを回転させる装置及び方法によりエネルギーが生成される。この装置及び方法は、磁気エネルギーを機械力又は電気エネルギーに変換する。
2005510190.tif 000002
【特許請求の範囲】
【請求項１】
Ａ．  時計回り又は反時計回りに回転可能なローターであって、該ローターに固定された少なくとも１個の磁石を有するローターと、
Ｂ．  ローターに隣接するが間隔をあけて配置されたプレートと、
Ｃ．  前記プレートの上側の周囲に固定され、前記ローターに固定された前記磁石とは反対の極性を有する１個又は複数の磁石と、
Ｄ．  前記プレートに固定された前記１個又は複数の磁石により提供され、その磁界強度が次第に増大する磁場であって、規定されたスペースを除き連続的である磁場と、
Ｅ．  磁場を作り出すことができ、前記規定された空間に隣接して位置するがその中には位置しない電磁石とを具備し、前記ローターに固定された磁石の動きと装置が連続している、エネルギーを生成させるための装置。
【請求項２】
前記ローターは、直接駆動アセンブリーに連結されている請求項１記載の装置。
【請求項３】
前記プレートには１個の磁石が固定されている請求項１記載の装置。
【請求項４】
前記プレートには一連の磁石が固定されている請求項１記載の装置。
【請求項５】
磁界の中をローターがほぼ円形方向に動かされ、それによって前記ローターに連結されたシャフトが回転される、エネルギーを生成させる方法。
【請求項６】
磁気エネルギーが機械的な力又は運動エネルギーに変換される請求項５記載の方法。
【請求項７】
磁気エネルギーが電気エネルギーに変換される請求項５記載の方法。
【発明の詳細な説明】
【技術分野】
【０００１】
本発明は、エネルギーの生成に関する。より具体的には、本発明は、エネルギーを生成させるための装置に関する。本発明はまた、エネルギーを生成させるための方法に関する。
【０００２】
本出願において、「エネルギー」という語は、アセンブリーを駆動する場合のような直接的なものであるか貯蔵状態のように間接的なものであるかに関わらず、仕事をする能力を意味することが理解されるであろう。さらに、本出願において、「エネルギーを生成させる」という語は、磁気エネルギーを変換又は使用して機械的な力を生成させること、及び電気又は運動エネルギーを包含する他の形態のエネルギーに磁気エネルギーを変換することを意味することが理解されるであろう。
【０００３】
本出願において、「電磁石」という語は、電気エネルギーを与えることにより磁場を作り出すことができるあらゆる装置を意味する。
【背景技術】
【０００４】
エネルギーを生成させる種々の装置及び方法が多数開示されている。エネルギー源の例は、核、石油、空気、熱、水等を包含する。
【０００５】
エネルギーは、自動車及び他のエンジン、開閉機構、物を１つの場所又は位置から他の場所又は位置へ移動させるシステム等、種々の方法で利用することができる。エネルギーは貴重で、現在の世界において必要なものであるので、エネルギーを効率的に、かつコスト効果的に生成させる多くの試みがなされてきた。
【０００６】
特にエンジンに関し、Worthamの米国特許第5,219,034号 (1993)は、クランクシャフトに結合された磁気ピストンを受容するための複数のシリンダーを有するブロックと、電流を逆にすることにより前記磁気ピストンを磁気的に作動させるための、エンジンヘッドに取り付けられた電磁石を包含する磁気エンジンにより駆動される車を開示している。
【０００７】
Luetzowの米国特許第5,444,369号 (1995)は、内燃エンジン中のスロットルバルブの回転位置を検出することにおいて線形のアウトプット信号を生成するセンサーを開示している。
【０００８】
Takaraの米国特許第6,049,146号 (2000)は、シリンダー内におけるピストンの電磁力による往復運動により駆動力を生成することができる電磁ピストンエンジンを開示している。
【０００９】
特定の用途のためにエネルギーを生成させる多くの装置及び方法が開発されてきたが、有効で安価で信頼性の高い、エネルギーを生成させる装置及び方法の必要性が当該産業において持続している。
【発明の開示】
【００１０】
短く述べると、本発明は、有効で、安価で信頼性の高い手段によりエネルギーを生成させるための装置を提供する。本発明により生成されたエネルギーは、多くの用途に用いることができる。
【００１１】
本発明はまた、エネルギーを生成させる（すなわち生産する）、有効で信頼性の高い方法を提供する。
【００１２】
従って、本発明の目的は、エネルギーの生成である。
【００１３】
本発明の他の目的は、直接的に使用できるエネルギーの生成である。
【００１４】
本発明の他の目的は、間接的に使用できるエネルギーの生成である。
【００１５】
本発明の他の目的は、エネルギーを生成させる装置を提供することである。
【００１６】
本発明の他の目的は、エンジン又はモーターとして用いるための装置を提供することである。
【００１７】
本発明の他の目的は、ロータリーエンジンとして用いるための装置を提供することである。
【００１８】
本発明の他の目的は、長期間にわたってエネルギーの供給を生成させる装置を提供することである。
【００１９】
本発明の他の目的は、電池や太陽により駆動されるエンジン及びモーターのような、種々の形態のエンジン及びモーターに適合する装置を提供することである。
【００２０】
本発明の他の目的は、磁場を効率的に動力に利用することができる装置を提供することである。
【００２１】
本発明の他の目的は、磁場を効率的に動力に利用して横方向の力を生み出す装置を提供することである。
【００２２】
本発明の他の目的は、貯蔵されたエネルギーを運動エネルギーに変換する装置を提供することである。
【００２３】
本発明のさらに他の目的は、エネルギーを生成させる方法を提供することである。
【００２４】
本発明のさらに他の目的は、エンジン又はモーターで利用することができる方法を提供することである。
【００２５】
本発明のさらに他の目的は、ロータリーエンジンで利用することができる方法を提供することである。
【００２６】
本発明のさらに他の目的は、長期間にわたってエネルギーの供給を生成させる方法を提供することである。
【００２７】
本発明のさらに他の目的は、電池や太陽により駆動されるエンジン及びモーターのような、種々の形態のエンジン及びモーターに適合する方法を提供することである。
【００２８】
本発明のさらに他の目的は、磁場を効率的に動力に利用することができる方法を提供することである。
【００２９】
本発明のさらに他の目的は、磁場を効率的に動力に利用して横方向の力を生み出す方法を提供することである。
【００３０】
本発明のさらに他の目的は、貯蔵されたエネルギーを運動エネルギーに変換する方法を提供することである。
【００３１】
本発明のこれら及び他の目的、特徴及び利点は、以下の詳細な説明から明らかになるであろう。
【００３２】
本発明は、エネルギーを生成させる（すなわち生産する）ための装置に関する。より具体的には、本発明の装置は、
Ａ．  時計回り又は反時計回りに回転可能なローターであって、該ローターに固定された少なくとも１個の磁石を有するローターと、
Ｂ．  ローターに隣接するが間隔をあけて配置されたプレートと、
Ｃ．  前記プレートの上側の周囲に固定され、前記ローターに固定された前記磁石とは反対の極性を有する１個又は複数の磁石と、
Ｄ．  前記プレートに固定された前記１個又は複数の磁石により提供され、その磁界強度が次第に増大する磁場であって、規定されたスペースを除き連続的である磁場と、
Ｅ．  磁場を作り出すことができ、前記規定された空間に隣接して位置するがその中には位置しない電磁石とを具備し、前記ローターに固定された磁石の動きと装置が連続している。
【００３３】
本発明はまた、前段落に記載した装置を用いる、エネルギーを生成させる方法を提供する。
【発明を実施するための最良の形態】
【００３４】
本発明の好ましい構造を図１に分解図の形態で示す。
【００３５】
同様な番号は同様な要素を示す図面に言及すると、図１は、本発明の好ましい１具体例の分解図を示し、装置１は、ローター２の上側に固定された磁石３を有する、運動可能なローター２を具備する。図１においては、ローター２の上側に２個の磁石３が固定されている。装置１は、ローター２に隣接して（すなわち非常に近く）位置するが、これから離れて位置するプレート４を含む。
【００３６】
円形のプレート４の上側の周縁には、一連の磁石５が固定されている。図１に示すように、一連の磁石５の数は約１６個である。磁石５は、ローター２上に位置する磁石３とは反対の極性を有する。磁石５は、プレート４の周縁に概ね円形に位置する。しかしながら、各磁石５は、プレート４の内側の端部からの距離が、時計回りの方向に見て、概ね連続的に増大するように配置されている。
【００３７】
磁石５の位置により、一連の磁石のうちの最初の磁石５が最後の磁石５と隣接していない、規定されたスペース６以外の部分のプレート４の回りに次第に増大する磁界強度を有する磁場が作り出される。最初の磁石と最後の磁石の間の領域がスペース６を規定する。
【００３８】
図１に示すように、電磁石７が、規定されたスペースに隣接して、しかしこれに含まれることなく位置している。電磁石７は、磁石３の極性と同じで、磁石５の極性と反対の極性を有する磁場を作り出すために備えられている。
【００３９】
図１に基づいて動作を説明すると、磁石３と磁石５が反対極性なので、ローター２は磁石５により作り出される磁場を通って反時計回りに動く。しかしながら、スペース６が磁場を破壊し又は変更するので、電磁石７がない場合には、ローター２はスペース６を通って動くのではなく停止するであろう。ローター２が停止するであろう点又はその周辺において、電磁石７が、磁石５と反対の極性の磁場を作り出す。この磁場が、磁石５により作り出される磁場を相殺し、磁石３が規定されたスペース６を通過するように送り出し又は通過を許す。これにより、磁石５により作り出される磁場を通過するローター２の動きが再び始まる。もちろん、ローター２の動きはローターシャフト８を回転させ、それによってエネルギーを生成させて、直接駆動アセンブリーのような装置に伝える。ローター２の動き及びそれによりもたらされるエネルギーの生成は、装置７が活動停止するまで続くであろう。
【００４０】
図１に示すように、所望ならばカバープレート９を用いることができる。電磁石７に磁場を形成させる電力は、入口１０を介して供給することができる。入口１０は、低電圧電池又は装置１のエネルギー出力から充電される内部キャパシターのような電源に接続されたワイヤーを収納することができる。２個の磁石３に代えて１個の磁石３を用いることができ、また、一連の磁石５に代えて１個の整形された磁石５を用いることができる。さらに、一連の磁石が用いられるならば、図１に示す数よりも多くすることも少なくすることもできる。
【００４１】
図２は、プレート４、規定されたスペース６及び電磁石７を示す。図２には、磁石３及びローターシャフト８を有するローター２が示されている。磁石３及び５の位置及び極性は図１で説明した通りである。
【００４２】
図３には、図１において丸で囲んだ領域、すなわち、ローター２上の磁石３、プレート４上の磁石５及びローター２の動きを持続させてエネルギーを生成させるための電磁石７が示されている。
【００４３】
図面では、磁石３は、ローター２の上側に示されている。しかしながら、これらの磁石（又は他の具体例では１個の磁石）は、下側や外縁のような、ローター上のいかなる部位に位置していてもよい。図面ではまた、プレート４が円形であるが、正方形、長方形等の他の形状を採用することもできる。
【００４４】
鉛又は他のいずれの物質及び誘導コイルを含み得る電磁石７は、最も内側の磁石５に隣接して配置される。該電磁石は、磁石５により作り出される磁場を相殺し又は破壊する磁場を生成させるのに十分な電源から給電される。前記装置に接続され、前記最も内側の磁石５と最も外側の磁石５の間に位置するタイマー（レーザートリガー回路又は他の機械的なトリガー機構）を介する命令により、前記電磁石から電気インパルスが発射される。前記タイマーは、近づいてくる磁石３を検出し、ローター２が最も内側の磁石５に近づくときに磁場を破壊するために、電磁石７に発射の信号を送り、それによって前記ローターが最も外側の磁石５に向かって引続き回転していくことを可能にする。この過程は、前記ローターのそれぞれの回転において繰り返される。外部のエネルギー入力は、電磁石装置を充電し、必要ならばタイマーに給電するために要求されるものだけである。前記タイマーはまた、光学的又は機械的な機構によっても起動させることができる。
【００４５】
本発明をある実施例に特に言及して詳細に記載したが、請求の範囲に規定される本発明の精神及び範囲から逸脱することなく変形及び修飾が可能である。
【図面の簡単な説明】
【００４６】
【図１】図１は、本発明の装置を分解して示す図である。
【図２】図２は、本発明の装置の平面図である。
【図３】図３は、図２において点線の円で囲んだ部分の図である。
【図１】
2005510190.tif 000003
【図２】
2005510190.tif 000004
【図３】
2005510190.tif 000005
【国際調査報告】
2005510190.tif 000006